(57)【要約】      （修正有）【課題】板金プレス型のレールを用いた小型でコンパクトなスライドレールであり、変形がなく塵埃除去も確実に出来るミニ変形レスプレス型スライドレールを提供する。【解決手段】モータ１とこれと対抗する受け具２間にはリードスクリュー５に螺合して移動するか又はベルトにより移動する部材移動体４が板金プレス型のレールに沿って移動し、必要な部材を移動運送することが出来る。板金プレス型のレール３の下面には取り付け体に固定するためのねじとその回りに横Ｕ字型スリットが設けられ、全体の変形を防止する。また、カバーと支持台８の面取り部により塵埃の浸入防止と除去が出来る。【選択図】図１
0003206350.tif 000002
【実用新案登録請求の範囲】
【請求項１】
一端側に配設されるモータと他端側に配設される受け具と、両者間に介設される板金プレス型のレールと、該レールに沿って部材を移動させるために前記レールに摺動自在に支持される部材移動体と、前記モータと前記受け具間に介設され前記部材移動体に螺合するリードスクリューとを有するスライドレールであって、前記部材移動体は前記リードスクリューに螺合する螺合部を形成する樹脂製摺動体及びこの上面にテフロン板を介して搭載され前記部材を固定搭載するための支持台とからなり、前記樹脂製摺動体の上面には前記支持台の内部に配設されて前記レールの上面全体を覆って取り外し可能に配設されるカバーが配設され前記レールの下面には前記レールを剛体の取り付け体に固定するための取り付け孔が複数個設けられ、前記取り付け孔のまわりには前記取り付け孔を囲んで横Ｕ字型スリットが設けられることを特徴とするミニ変形レスプレス型スライドレール。
【請求項２】
細長の板金プレス型のレールと、該レールに沿って部材を移動させるために前記レールに摺動自在に支持される部材移動体と、前記レールの一端側に前記レールと直角方向に配設されるモータと、前記レールの他端側に配置される受け軸と、前記モータの回転軸と前記受け軸との間に介設され前記部材移動体を移動させるためのベルトとを有するベルト式のスライドレールであって、前記部材移動体は前記ベルトに固定されると共に前記レールに摺動自在に支持される樹脂製摺動体及びこの上面にテフロン板を介して搭載され前記部材を固定搭載するための支持台とからなり、前記樹脂製摺動体の上面には前記支持台の内部に配設されて前記レールの上面全体を覆って取り外し可能に配設されるカバーが配設され前記レールの下面には前記レールを剛体の取り付け体に固定するための取り付け孔が複数個設けられ、前記取り付け孔のまわりには前記取り付け孔を囲んで横Ｕ字型スリットが設けられることを特徴とするミニ変形レスプレス型スライドレール。
【請求項３】
前記部材移動体の前記支持台は、移動方向のコーナ部にホコリ除去のための面取り部が形成されることを特徴とする請求項１又は請求項２に記載のミニ変形レスプレス型スライドレール。
【考案の詳細な説明】
【技術分野】
【０００１】  本考案は、小型でコンパクトに板金プレス材を用いて形成されカバーとにより塵埃除去も出来、剛体の取り付け体に固定しても変形がなく、上面を覆う前記カバーの脱着も可能であるミニ変形レスプレス型スライドレールに関する。
【背景技術】
【０００２】  スライドレールとしては各種各形式のものが従来より開示されているがその全てが剛性のある鉄材を精密加工したものからなり、スライド部分等を板金でプレス加工したものは見当らない。この理由はこのスライドレールを剛体の取り付け体に固定した場合に歪等の変形を防止するためであり、スライドレール等を板金でプレス加工したものは変形の可能性がある。前者の一例として「特許文献１」が挙げられる。また、スライドレールの変形を防止するための手段を有するものとして、例えば「特許文献２」が挙げられ、ストレス防止等として、例えば「特許文献３」が挙げられる。
【先行技術文献】
【特許文献】
【０００３】
【特許文献１】実用新案登録第３１０７１８４号（図１）
【特許文献２】特開２０１４−９１４９０号（図１）
【特許文献３】特開２００７−５９５４２号（図１）
【考案の概要】
【考案が解決しようとする課題】
【０００４】  「特許文献１」の「実用新案登録第３１０７１８４号」の「スライドレール収納定位装置」はその代表図面にあるように鉄材を精密加工したものからなり本考案のように板金プレス型のものから作製されたものではない。
また、「特許文献２」の「特開２０１４−９１４９０号」の「衝撃吸収スライドレール及び車両用シート」はレール本体に切欠部が多数形成されたものであり、衝撃防止や変形防止に機能するものと想定されるがこれ等も本考案のように板金プレス型のスライドレールには適用されない。
また、「特許文献３」の「特開２００７−５９５４２号」の「配線固定構造」は配線の導通芯材の半田固定部にストレスが加わらないように工夫したものであり、本考案のようにスリットを形成して変形防止をしたものとは相違する。【０００５】  本考案は、以上の各種の開示技術と相違し、板金プレス型のスライドレール等を使用し、全体をコンパクトに、かつ軽量にまとめたものであり、かつ板金プレス型による変形を防止すると共に塵埃除去手段を設けたミニ変形レスプレス型スライドレールを提供する事を目的としたものである。
【課題を解決するための手段】
【０００６】  本考案は、以上の目的を達成するために請求項１の考案は、一端側に配設されるモータと他端側に配設される受け具と、両者間に介設される板金プレス型のレールと、該レールに沿って部材を移動させるために前記レールに摺動自在に支持される部材移動体と、前記モータと前記受け具間に介設され前記部材移動体に螺合するリードスクリューとを有するスライドレールであって、前記部材移動体は前記リードスクリューに螺合する螺合部を形成する樹脂製摺動体及びこの上面にテフロン板を介して搭載され前記部材を固定搭載するための支持台とからなり、前記樹脂製摺動体の上面には前記支持台の内部に配設されて前記レールの上面全体を覆って取り外し可能に配設されるカバーが配設され前記レールの下面には前記レールを剛体の取り付け体に固定するための取り付け孔が複数個設けられ、前記取り付け孔のまわりには前記取り付け孔を囲んで横Ｕ字型スリットが設けられることを特徴とする。【０００７】  また、請求項２の考案は、細長の板金プレス型のレールと、該レールに沿って部材を移動させるために前記レールに摺動自在に支持される部材移動体と、前記レールの一端側に前記レールと直角方向に配設されるモータと、前記レールの他端側に配置される受け軸と、前記モータの回転軸と前記受け軸との間に介設され前記部材移動体を移動させるためのベルトとを有するベルト式のスライドレールであって、前記部材移動体は前記ベルトに固定されると共に前記レールに摺動自在に支持される樹脂製摺動体及びこの上面にテフロン板を介して搭載され前記部材を固定搭載するための支持台とからなり、前記樹脂製摺動体の上面には前記支持台の内部に配設されて前記レールの上面全体を覆って取り外し可能に配設されるカバーが配設され前記レールの下面には前記レールを剛体の取り付け体に固定するための取り付け孔が複数個設けられ、前記取り付け孔のまわりには前記取り付け孔を囲んで横Ｕ字型スリットが設けられることを特徴とする。【０００８】  また、請求項３の考案は、前記部材移動体の前記支持台は、移動方向のコーナ部にホコリ除去のための面取り部が形成されることを特徴とする。
【考案の効果】
【０００９】  本考案の請求項１及び請求項２のミニ変形レスプレス型スライドレールによれば、構造主体のレールが板金プレス型のものからなり、軽量で製作が容易であると共に取り付け時における変形防止手段としてスリットを設け、また、塵埃防止としてカバーや部材移動体の支持台にホコリ除去用の面取り部を形成し、部材移動体の主体部を樹脂製摺動体から形成し、軽量化を図るようにした点においても特徴を有するものである。
また、部材を固定する支持台と樹脂製摺動体の間にテフロン板を設け滑り性の向上を図るようにしている。【００１０】  また、本考案の請求項３のミニ変形レスプレス型スライドレールによれば、部材移動体の支持台の移動方向のコーナ部に面取り部を形成し、レール上の塵埃を除去する効果を上げることが出来る。
【図面の簡単な説明】
【００１１】
【図１】本考案のミニ変形レスプレス型スライドレールの全体構造を示す正面図。
【図２】ミニ変形レスプレス型スライドレールにおけるねじ式の部材移動体の全体構造を示す拡大断面図（ａ）と部材移動体の樹脂製摺動体の構造を示す正面図（ｂ）。
【図３】図１の上面図（部材移動体の移動状態を含む）。
【図４】部材移動体の移動状態を示す正面図（部材移動体の移動状態を含む）。
【図５】レールの下面に形成されている取り付け孔と孔を囲んで配設される横Ｕ字型スリットを示すレールの底面図。
【図６】取り付け孔と横Ｕ字型スリットの詳細構造を示す拡大模式図。
【図７】本考案のミニ変形レスプレス型スライドレールにおける上面のカバーの取り付け状態を示す上面図（ａ）及びこのカバーの取り外し状態を示す上面図（ｂ）。
【図８】ベルトを用いた部材移動体を有するミニ変形レスプレス型スライドレールの全体構造を示す正面図（ａ）及びこの上面図（ｂ）。
【図９】ミニ変形レスプレス型スライドレールにおけるベルト式の部材移動体の全体構造を示す拡大断面図。
【考案を実施するための形態】
【００１２】  以下、本考案のミニ変形レスプレス型スライドレールの実施の形態を図面を参照して詳述する。
【実施例１】
【００１３】  まず、図１により本考案のねじ式のミニ変形レスプレス型スライドレールの全体構造を説明する。
本考案のミニ変形レスプレス型スライドレール１００は図１及び図２乃至図３，図４に示すように一端側（図１では左端）に配設されているモータ１と、他端側（図１では右端）に配設されている受け具２と、両者間に介設されているレール３と、レール３に摺動自在に支持されている部材移動体４と、モータ１と受け具２間に介設され部材移動体４に螺合しているリードスクリュー５と、図２によく示すように部材移動体４の樹脂製摺動体６と、この上面にテフロン板７を介して搭載され、図略の移動用の部材を固定搭載するための支持台８と、レール３の上面全体を覆い支持台８内に収納されているカバー９等とからなる。モータ１の駆動により回転するリードスクリュー５によりこれに螺合している樹脂製摺動体６を有する部材移動体４が図３や図４に示すように移動し、支持台８上の図略の部材を移動させる事になる。【００１４】  部材移動体４は図２に示すように板金プレス型のレール３に摺動自在に支持されている樹脂製摺動体６とテフロン板７を介して樹脂製摺動体６上に搭載されている支持台８等とからなる。なお、樹脂製摺動体６にはリードスクリュー５と螺合するねじ孔１０（図２（ｂ）に示す）が形成されている。また、樹脂製摺動体６とテフロン板７及び支持台８はねじ１１により固定されている。また、支持台８上に搭載される図略の部材は支持台８上にねじ１２により固定される。
以上の構造により支持台８上の図略の部材はモータ１の駆動により図３及び図４に示すようにレール３に沿って移動される。
また、図３に示すように支持台８には移動方向のコーナ部に面取り部１３が形成され部材移動体４の移動によりレール３の上面に堆積している塵埃を取除きする役目を果す。【００１５】  前記のようにレール３は板金プレス型のものからなりミニ変形レスプレス型リードスクリュー１００を図６に示すように剛体の取り付け体にねじ１４により固定する場合に変形し、ミニ変形レスプレス型スライドレール１００全体を変形させる不具合が発生する可能性がある。
図５及び図６に示す横Ｕ字型スリット１５はそれを防止するためのものである。この横Ｕ字型スリット１５はねじ１４のまわりにこれに近接して設けられるスリットであり、その幅は数ｍｍの狭巾のものからなる。この横Ｕ字型スリット１５の存在によるこの部位の変形によりミニ変形レスプレス型スライドレール１００を剛性の取り付け体に取り付けた場合に板金プレス型のレール３の変形を防止し、ミニ変形レスプレス型スライドレール１００全体の変形を防止する効果を果すことが出来る。【００１６】  図７（ａ），（ｂ）はカバー９の取り付け状態［（ａ）に示す］と取り外した状態［（ｂ）に示す］を示すものである。
図７（ａ）に示すように、カバー９はその一端側をモータ１側にスプリング１６を介して挿入され他端側を受け具２間に挿入した形で取り付けられている。カバー９はミニ変形レスプレス型スライドレール１００の上面全体を覆うためミニ変形レスプレス型スライドレール１００の内部への塵埃の挿入を防止する役目を果す。
一方、ミニ変形レスプレス型スライドレール１００の全体を清浄化する場合にはカバー９を取り外す必要がある。この場合には図７（ｂ）に示すようにカバー９をモータ１側に押し付けてスプリング１６を圧縮させることにより受け具２側に挿入されている端部が受け具２より解放できカバー９を取り外すことが出来る。
【実施例２】
【００１７】  図８及び図９はベルト式のミニ変形レスプレス型スライドレール１００Ａを示すものである。
「実施例１」ではモータはレール３の一端側にレール３の形成方向に沿って取り付けられていたが、「実施例２」ではモータ１ａはレール３の形成方向と直角方向にその一端側に配設されるものからなる。このモータ１ａの回転軸とレール３の他端側に配置されている受け軸１８との間にはベルト１７が介設される。
「実施例２」では部材移動体４ａは「実施例１」の部材移動体４とほぼ同一の構造のものからなり同一の構成部品についての重複説明は省略するが樹脂製摺動体６ａの構造が「実施例１」の樹脂製摺動体６と相違し、その構造が図９に示されている。この樹脂製摺動体６ａはベルト１７に固定され、ベルト１７の移動に伴って移動する。
また、「実施例２」ではカバー９ａの構造が「実施例１」のカバー９と相違しレール３のほぼ全体を覆う構造からなる。
以上の構造によりモータ１ａの駆動により部材移動体４ａがベルト１７の移動に伴ってレール３に沿って移動することになる。【００１８】  本考案は以上の説明の内容のものからなるがその内容は以上の説明に限定するものではなく同一技術的範疇のものが適用されることは勿論である。
【産業上の利用可能性】
【００１９】  本考案のミニ変形レスプレス型スライドレールは比較的コンパクトの場所に設置出来、軽量であり、変形もなく、部材の移動を必要とする全ての場所に適用可能であり、その利用範囲は広く、比較的安価に形成されるため使用範囲は極めて広い。
【符号の説明】
【００２０】  １        モータ
２        受け具
３        レール
４        部材移動体
４ａ      部材移動体
５        リードスクリュー
６        樹脂製摺動体
６ａ      樹脂製摺動体
７        テフロン板
８        支持台
９        カバー
９ａ      カバー
１０      ねじ孔
１１      ねじ
１２      ねじ
１３      面取り部
１４      ねじ
１５      横Ｕ字型スリット
１６      スプリング
１７      ベルト
１８      受け軸
１００    ミニ変形レスプレス型スライドレール
１００Ａ  ミニ変形レスプレス型スライドレール
【図１】
0003206350.tif 000003
【図２】
0003206350.tif 000004
【図３】
0003206350.tif 000005
【図４】
0003206350.tif 000006
【図５】
0003206350.tif 000007
【図６】
0003206350.tif 000008
【図７】
0003206350.tif 000009
【図８】
0003206350.tif 000010
【図９】
0003206350.tif 000011
【手続補正書】
【提出日】平成28年6月24日(2016.6.24)
【手続補正１】
【補正対象書類名】実用新案登録請求の範囲
【補正対象項目名】全文
【補正方法】変更
【補正の内容】
【実用新案登録請求の範囲】
【請求項１】
一端側に配設されるモータと他端側に配設される受け具と、両者間に介設される板金プレス型のレールと、該レールに沿って部材を移動させるために前記レールに摺動自在に支持される部材移動体と、前記モータと前記受け具間に介設され前記部材移動体に螺合するリードスクリューとを有するスライドレールであって、前記部材移動体は前記リードスクリューに螺合する螺合部を形成する樹脂製摺動体及びこの上面に樹脂板を介して搭載され前記部材を固定搭載するための支持台とからなり、前記樹脂製摺動体の上面には前記支持台の内部に配設されて前記レールの上面全体を覆って取り外し可能に配設されるカバーが配設され前記レールの下面には前記レールを剛体の取り付け体に固定するための取り付け孔が複数個設けられ、前記取り付け孔のまわりには前記取り付け孔を囲んで横Ｕ字型スリットが設けられることを特徴とするミニ変形レスプレス型スライドレール。
【請求項２】
細長の板金プレス型のレールと、該レールに沿って部材を移動させるために前記レールに摺動自在に支持される部材移動体と、前記レールの一端側に前記レールと直角方向に配設されるモータと、前記レールの他端側に配置される受け軸と、前記モータの回転軸と前記受け軸との間に介設され前記部材移動体を移動させるためのベルトとを有するベルト式のスライドレールであって、前記部材移動体は前記ベルトに固定されると共に前記レールに摺動自在に支持される樹脂製摺動体及びこの上面に樹脂板を介して搭載され前記部材を固定搭載するための支持台とからなり、前記樹脂製摺動体の上面には前記支持台の内部に配設されて前記レールの上面全体を覆って取り外し可能に配設されるカバーが配設され前記レールの下面には前記レールを剛体の取り付け体に固定するための取り付け孔が複数個設けられ、前記取り付け孔のまわりには前記取り付け孔を囲んで横Ｕ字型スリットが設けられることを特徴とするミニ変形レスプレス型スライドレール。
【請求項３】
前記部材移動体の前記支持台は、移動方向のコーナ部にホコリ除去のための面取り部が形成されることを特徴とする請求項１又は請求項２に記載のミニ変形レスプレス型スライドレール。
【手続補正２】
【補正対象書類名】明細書
【補正対象項目名】全文
【補正方法】変更
【補正の内容】
【考案の詳細な説明】
【技術分野】
【０００１】  本考案は、小型でコンパクトに板金プレス材を用いて形成されカバーとにより塵埃除去も出来、剛体の取り付け体に固定しても変形がなく、上面を覆う前記カバーの脱着も可能であるミニ変形レスプレス型スライドレールに関する。
【背景技術】
【０００２】  スライドレールとしては各種各形式のものが従来より開示されているがその全てが剛性のある鉄材を精密加工したものからなり、スライド部分等を板金でプレス加工したものは見当らない。この理由はこのスライドレールを剛体の取り付け体に固定した場合に歪等の変形を防止するためであり、スライドレール等を板金でプレス加工したものは変形の可能性がある。前者の一例として「特許文献１」が挙げられる。また、スライドレールの変形を防止するための手段を有するものとして、例えば「特許文献２」が挙げられ、ストレス防止等として、例えば「特許文献３」が挙げられる。
【先行技術文献】
【特許文献】
【０００３】
【特許文献１】実用新案登録第３１０７１８４号（図１）
【特許文献２】特開２０１４−９１４９０号（図１）
【特許文献３】特開２００７−５９５４２号（図１）
【考案の概要】
【考案が解決しようとする課題】
【０００４】  「特許文献１」の「実用新案登録第３１０７１８４号」の「スライドレール収納定位装置」はその代表図面にあるように鉄材を精密加工したものからなり本考案のように板金プレス型のものから作製されたものではない。
また、「特許文献２」の「特開２０１４−９１４９０号」の「衝撃吸収スライドレール及び車両用シート」はレール本体に切欠部が多数形成されたものであり、衝撃防止や変形防止に機能するものと想定されるがこれ等も本考案のように板金プレス型のスライドレールには適用されない。
また、「特許文献３」の「特開２００７−５９５４２号」の「配線固定構造」は配線の導通芯材の半田固定部にストレスが加わらないように工夫したものであり、本考案のようにスリットを形成して変形防止をしたものとは相違する。【０００５】  本考案は、以上の各種の開示技術と相違し、板金プレス型のスライドレール等を使用し、全体をコンパクトに、かつ軽量にまとめたものであり、かつ板金プレス型による変形を防止すると共に塵埃除去手段を設けたミニ変形レスプレス型スライドレールを提供する事を目的としたものである。
【課題を解決するための手段】
【０００６】  本考案は、以上の目的を達成するために請求項１の考案は、一端側に配設されるモータと他端側に配設される受け具と、両者間に介設される板金プレス型のレールと、該レールに沿って部材を移動させるために前記レールに摺動自在に支持される部材移動体と、前記モータと前記受け具間に介設され前記部材移動体に螺合するリードスクリューとを有するスライドレールであって、前記部材移動体は前記リードスクリューに螺合する螺合部を形成する樹脂製摺動体及びこの上面に樹脂板を介して搭載され前記部材を固定搭載するための支持台とからなり、前記樹脂製摺動体の上面には前記支持台の内部に配設されて前記レールの上面全体を覆って取り外し可能に配設されるカバーが配設され前記レールの下面には前記レールを剛体の取り付け体に固定するための取り付け孔が複数個設けられ、前記取り付け孔のまわりには前記取り付け孔を囲んで横Ｕ字型スリットが設けられることを特徴とする。【０００７】  また、請求項２の考案は、細長の板金プレス型のレールと、該レールに沿って部材を移動させるために前記レールに摺動自在に支持される部材移動体と、前記レールの一端側に前記レールと直角方向に配設されるモータと、前記レールの他端側に配置される受け軸と、前記モータの回転軸と前記受け軸との間に介設され前記部材移動体を移動させるためのベルトとを有するベルト式のスライドレールであって、前記部材移動体は前記ベルトに固定されると共に前記レールに摺動自在に支持される樹脂製摺動体及びこの上面に樹脂板を介して搭載され前記部材を固定搭載するための支持台とからなり、前記樹脂製摺動体の上面には前記支持台の内部に配設されて前記レールの上面全体を覆って取り外し可能に配設されるカバーが配設され前記レールの下面には前記レールを剛体の取り付け体に固定するための取り付け孔が複数個設けられ、前記取り付け孔のまわりには前記取り付け孔を囲んで横Ｕ字型スリットが設けられることを特徴とする。【０００８】  また、請求項３の考案は、前記部材移動体の前記支持台は、移動方向のコーナ部にホコリ除去のための面取り部が形成されることを特徴とする。
【考案の効果】
【０００９】  本考案の請求項１及び請求項２のミニ変形レスプレス型スライドレールによれば、構造主体のレールが板金プレス型のものからなり、軽量で製作が容易であると共に取り付け時における変形防止手段としてスリットを設け、また、塵埃防止としてカバーや部材移動体の支持台にホコリ除去用の面取り部を形成し、部材移動体の主体部を樹脂製摺動体から形成し、軽量化を図るようにした点においても特徴を有するものである。
また、部材を固定する支持台と樹脂製摺動体の間に樹脂板を設け滑り性の向上を図るようにしている。【００１０】  また、本考案の請求項３のミニ変形レスプレス型スライドレールによれば、部材移動体の支持台の移動方向のコーナ部に面取り部を形成し、レール上の塵埃を除去する効果を上げることが出来る。
【図面の簡単な説明】
【００１１】
【図１】本考案のミニ変形レスプレス型スライドレールの全体構造を示す正面図。
【図２】ミニ変形レスプレス型スライドレールにおけるねじ式の部材移動体の全体構造を示す拡大断面図（ａ）と部材移動体の樹脂製摺動体の構造を示す正面図（ｂ）。
【図３】図１の上面図（部材移動体の移動状態を含む）。
【図４】部材移動体の移動状態を示す正面図（部材移動体の移動状態を含む）。
【図５】レールの下面に形成されている取り付け孔と孔を囲んで配設される横Ｕ字型スリットを示すレールの底面図。
【図６】取り付け孔と横Ｕ字型スリットの詳細構造を示す拡大模式図。
【図７】本考案のミニ変形レスプレス型スライドレールにおける上面のカバーの取り付け状態を示す上面図（ａ）及びこのカバーの取り外し状態を示す上面図（ｂ）。
【図８】ベルトを用いた部材移動体を有するミニ変形レスプレス型スライドレールの全体構造を示す正面図（ａ）及びこの上面図（ｂ）。
【図９】ミニ変形レスプレス型スライドレールにおけるベルト式の部材移動体の全体構造を示す拡大断面図。
【考案を実施するための形態】
【００１２】  以下、本考案のミニ変形レスプレス型スライドレールの実施の形態を図面を参照して詳述する。
【実施例１】
【００１３】  まず、図１により本考案のねじ式のミニ変形レスプレス型スライドレールの全体構造を説明する。
本考案のミニ変形レスプレス型スライドレール１００は図１及び図２乃至図３，図４に示すように一端側（図１では左端）に配設されているモータ１と、他端側（図１では右端）に配設されている受け具２と、両者間に介設されているレール３と、レール３に摺動自在に支持されている部材移動体４と、モータ１と受け具２間に介設され部材移動体４に螺合しているリードスクリュー５と、図２によく示すように部材移動体４の樹脂製摺動体６と、この上面に樹脂板７を介して搭載され、図略の移動用の部材を固定搭載するための支持台８と、レール３の上面全体を覆い支持台８内に収納されているカバー９等とからなる。モータ１の駆動により回転するリードスクリュー５によりこれに螺合している樹脂製摺動体６を有する部材移動体４が図３や図４に示すように移動し、支持台８上の図略の部材を移動させる事になる。【００１４】  部材移動体４は図２に示すように板金プレス型のレール３に摺動自在に支持されている樹脂製摺動体６と樹脂板７を介して樹脂製摺動体６上に搭載されている支持台８等とからなる。なお、樹脂製摺動体６にはリードスクリュー５と螺合するねじ孔１０（図２（ｂ）に示す）が形成されている。また、樹脂製摺動体６と樹脂板７及び支持台８はねじ１１により固定されている。また、支持台８上に搭載される図略の部材は支持台８上にねじ１２により固定される。
以上の構造により支持台８上の図略の部材はモータ１の駆動により図３及び図４に示すようにレール３に沿って移動される。
また、図３に示すように支持台８には移動方向のコーナ部に面取り部１３が形成され部材移動体４の移動によりレール３の上面に堆積している塵埃を取除きする役目を果す。【００１５】  前記のようにレール３は板金プレス型のものからなりミニ変形レスプレス型リードスクリュー１００を図６に示すように剛体の取り付け体にねじ１４により固定する場合に変形し、ミニ変形レスプレス型スライドレール１００全体を変形させる不具合が発生する可能性がある。
図５及び図６に示す横Ｕ字型スリット１５はそれを防止するためのものである。この横Ｕ字型スリット１５はねじ１４のまわりにこれに近接して設けられるスリットであり、その幅は数ｍｍの狭巾のものからなる。この横Ｕ字型スリット１５の存在によるこの部位の変形によりミニ変形レスプレス型スライドレール１００を剛性の取り付け体に取り付けた場合に板金プレス型のレール３の変形を防止し、ミニ変形レスプレス型スライドレール１００全体の変形を防止する効果を果すことが出来る。【００１６】  図７（ａ），（ｂ）はカバー９の取り付け状態［（ａ）に示す］と取り外した状態［（ｂ）に示す］を示すものである。
図７（ａ）に示すように、カバー９はその一端側をモータ１側にスプリング１６を介して挿入され他端側を受け具２間に挿入した形で取り付けられている。カバー９はミニ変形レスプレス型スライドレール１００の上面全体を覆うためミニ変形レスプレス型スライドレール１００の内部への塵埃の挿入を防止する役目を果す。
一方、ミニ変形レスプレス型スライドレール１００の全体を清浄化する場合にはカバー９を取り外す必要がある。この場合には図７（ｂ）に示すようにカバー９をモータ１側に押し付けてスプリング１６を圧縮させることにより受け具２側に挿入されている端部が受け具２より解放できカバー９を取り外すことが出来る。
【実施例２】
【００１７】  図８及び図９はベルト式のミニ変形レスプレス型スライドレール１００Ａを示すものである。
「実施例１」ではモータはレール３の一端側にレール３の形成方向に沿って取り付けられていたが、「実施例２」ではモータ１ａはレール３の形成方向と直角方向にその一端側に配設されるものからなる。このモータ１ａの回転軸とレール３の他端側に配置されている受け軸１８との間にはベルト１７が介設される。
「実施例２」では部材移動体４ａは「実施例１」の部材移動体４とほぼ同一の構造のものからなり同一の構成部品についての重複説明は省略するが樹脂製摺動体６ａの構造が「実施例１」の樹脂製摺動体６と相違し、その構造が図９に示されている。この樹脂製摺動体６ａはベルト１７に固定され、ベルト１７の移動に伴って移動する。
また、「実施例２」ではカバー９ａの構造が「実施例１」のカバー９と相違しレール３のほぼ全体を覆う構造からなる。
以上の構造によりモータ１ａの駆動により部材移動体４ａがベルト１７の移動に伴ってレール３に沿って移動することになる。【００１８】  本考案は以上の説明の内容のものからなるがその内容は以上の説明に限定するものではなく同一技術的範疇のものが適用されることは勿論である。
【産業上の利用可能性】
【００１９】  本考案のミニ変形レスプレス型スライドレールは比較的コンパクトの場所に設置出来、軽量であり、変形もなく、部材の移動を必要とする全ての場所に適用可能であり、その利用範囲は広く、比較的安価に形成されるため使用範囲は極めて広い。
【符号の説明】
【００２０】１        モータ
２        受け具
３        レール
４        部材移動体
４ａ      部材移動体
５        リードスクリュー
６        樹脂製摺動体
６ａ      樹脂製摺動体
７        樹脂板
８        支持台
９        カバー
９ａ      カバー
１０      ねじ孔
１１      ねじ
１２      ねじ
１３      面取り部
１４      ねじ
１５      横Ｕ字型スリット
１６      スプリング
１７      ベルト
１８      受け軸
１００    ミニ変形レスプレス型スライドレール
１００Ａ  ミニ変形レスプレス型スライドレール